(57)【要約】【課題】  電子機器の背部に間隔を隔てて記憶装置を配備するという基本的な設置パターンを損なうことなく、筐体の奥行寸法をさらに短くして梱包費用や搬送費用を削減する。【解決手段】  箱形筐体１００の内部に、磁気テープ装置１１と光ディスク装置１５とを横並びに配備すると共に、光ディスク装置１５の背部にＨＤＤでなる記憶装置を配備する。記憶装置５は平面視形状が略矩形であり、その長辺５１が筐体１００の左右幅方向Ｗに平行に沿っている。記憶装置５の設置姿勢を、その短辺５２が傾斜してその垂直高さ寸法Ａ２が筐体１００の内部スペースの垂直幅寸法Ｈ１を越えない傾斜姿勢に変更して、その記憶装置５をディスク装置１５の背面に近付けて配備する。【選択図】        図１
2006351150.tif 000002
【特許請求の範囲】
【請求項１】
箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿いかつ短辺が上記筐体の前後幅方向に沿う水平な設置姿勢で配備されている記憶装置内蔵複合機において、
上記電気機器が、上記筐体の左右幅方向に並べて配備された磁気テープ装置と、上記記憶装置が背部に間隔を隔てて配備された光ディスク装置との組合せでなり、ハードディスクドライブユニットでなる上記記憶装置の設置姿勢を、その短辺が傾斜してその垂直高さ寸法が上記内部スペースの垂直幅寸法を越えない傾斜姿勢に変更して、その記憶装置を上記光ディスク装置の背面に近付けて配備してあることを特徴とする記憶装置内蔵複合機。
【請求項２】
箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿う姿勢で配備されている記憶装置内蔵複合機において、
上記記憶装置を、その短辺が傾斜してその垂直高さ寸法が上記内部スペースの垂直幅寸法を越えない傾斜姿勢として、上記電気機器の背面に近付けて配備してあることを特徴とする記憶装置内蔵複合機。
【請求項３】
箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿う姿勢で配備されている記憶装置内蔵複合機において、
上記記憶装置を、その短辺が垂直になる起立姿勢として、上記電気機器の背面に近付けて配備してあることを特徴とする記憶装置内蔵複合機。
【請求項４】
上記電気機器が、磁気テープ装置又は光ディスク装置である請求項２又は請求項３に記載した記憶装置内蔵複合機。
【請求項５】
上記電気機器が、上記筐体の左右幅方向に並べて配備された磁気テープ装置と光ディスク装置との組合せでなる請求項２又は請求項３に記載した記憶装置内蔵複合機。
【請求項６】
上記記憶装置が、上記光ディスク装置の背部に配備されている請求項５に記載した記憶装置内蔵複合機。
【請求項７】
上記記憶装置がハードディスクドライブユニットである請求項２ないし請求項６のいずれかに記載した記憶装置内蔵複合機。
【発明の詳細な説明】
【技術分野】
【０００１】
本発明は、記憶装置内蔵複合機、詳しくは、磁気テープ装置や光ディスク装置といったオーディオビジュアル機器（ＡＶ機器）などの電気機器と共にハードディスクドライブユニットを１つの箱形筐体に内蔵してなる記憶装置内蔵複合機に関する。
【背景技術】
【０００２】
従来、プラズマディスプレイなどを使用した薄型映像表示装置に、記録再生装置あるいは単一又は複数の３．５インチハードディスクといった記憶装置を内蔵させても、その薄型映像記憶装置本来の壁掛け用などの薄型の機能を損なわないようにする技術が提案されている（たとえば、特許文献１参照）。そして、この特許文献１によると、そのための具体的な対策として、記録再生装置や記憶装置の奥行寸法を、それらを内蔵していない薄型映像表示装置の奥行寸法よりも短くしてそれらを薄型映像表示装置に内蔵することが示唆されている。
【０００３】
また、従来より、テレビジョン受信機の筐体内にもう一つの電子機器、たとえばハードディスクドライバーを内蔵させた複合型映像機器において、そのハードディスクドライバーを締結ビスを用いずに取り付ける技術も提案されていた（たとえば、特許文献２参照）。
【０００４】
一方、図３は記憶装置内蔵複合機の電気機器１と記憶装置５の筐体１００内での設置パターンの従来例を平面図で示した説明図、図４はその設置パターンを図３のＩＶ−ＩＶ線に沿う部分から見て断面図で示した説明図である。
【０００５】
図３及び図４に示した記憶装置内蔵複合機において、筐体１００は、リアパネルとボトムケースとトップケースとを合わせて形成された筐体本体１１０の前端にフロントパネル１２０を取り付けることによって偏平箱形に形成されていて、そのフロントパネル１２０には、筐体１００に内蔵されている電子機器１や記憶装置５を制御するための操作ボタン（不図示）が装備されている。電子機器１は、筐体１００の左右幅方向Ｗに並べて配備された磁気テープ装置１１と光ディスク装置１５との組合せでなる。そして、上記したフロントパネル１２０には、磁気テープ装置１１に対して着脱される磁気テープカセットの出入口（不図示）と、光ディスク装置１５に出退可能に組み付けられているディスクトレイの出入口（不図示）とが具備されている。記憶装置５には、たとえば平面視略矩形の偏平な３．５インチハードディスクドライブユニットが相当していて、その記憶装置５は光ディスク装置１５の背部で、筐体１００に固着された取付け板１６に取り付けられていると共に、その記憶装置５と電子機器１である光ディスク装置５との相互間には必要な間隔Ｓが隔てられている。
【０００６】
ところで、図３及び図４に示した記憶装置内蔵複合機では、その筐体１００の左右幅方向Ｗの寸法（横幅寸法）、前後幅方向Ｄの寸法（奥行寸法）又は上下幅方向Ｈの寸法（高さ寸法）をできるだけ短くしてそのコンパクト化を図ることが、梱包費用や搬送費用の削減に役立つことが判っていて、上記した電子機器１や記憶装置５の設置パターンもそのようなコンパクト化のための工夫が講じられたものの１例である。すなわち、図３又は図４の記憶装置内蔵複合機では、電気機器１である磁気テープ装置１１と光ディスク装置１５とを横並びパターンで配備することによって、それらの操作性のほか、メイン基板２０１や電源基板２０２などの回路基板２００の組付け性などを損なわずに、筐体１００の横幅寸法をできるだけ短くしてあることと併せ、平面視略矩形のハードディスクドライブユニットでなる記憶装置５については、その長辺５１を筐体１００の左右幅方向Ｗに沿わせかつ短辺５２を筐体１００の前後幅方向Ｄに沿わせて水平な設置姿勢で配備することによって、筐体１００の奥行寸法を短くしてある。
【特許文献１】特開平１１−２２０６７９号公報
【特許文献２】特開２００１−３０９２７８号公報
【発明の開示】
【発明が解決しようとする課題】
【０００７】
一方、上記した記憶装置５としての３．５インチハードディスクドライブユニットは、水平姿勢に設置すること（横置き）が一般的に行われていて、図３又は図４に示した記憶装置内蔵複合機においても、そのような３．５インチハードディスクドライブユニットについての一般的な横置き設置構造が採用されてそれが水平姿勢に配備されている。
【０００８】
そこで、本願発明者は、記憶装置５としての３．５インチハードディスクドライブユニットの設置姿勢についての考察を鋭意試みたところ、その記憶装置５についての記録又は再生に関する性能面では、仮にその記憶装置５を傾斜姿勢で設置（斜め置き）したり起立姿勢で設置（縦置き）したりしても何ら問題の起こらないことを見出してそのことに着目した。併せて、本願発明者は、筐体１００の高さ寸法が磁気テープ装置１１や光ディスク装置１５などの高さ寸法に依存して概ね定まっていて、記憶装置５としての３．５インチハードディスクドライブユニットの短辺５２の長さが、筐体１００の内部スペースの垂直幅寸法Ｈ１に比べて比較的短いということを見出してそのことに着目した。
【０００９】
本発明は以上の状況の下でなされたものであり、図３又は図４に示した設置パターン、具体的には電子機器の背部に間隔を隔てて記憶装置を配備するという基本的な設置パターンを損なうことなく、記憶装置の設置姿勢に工夫を講じることにより、筐体の奥行寸法をさらに短くして筐体のコンパクト化を図り、そうすることによって梱包費用や搬送費用を削減することが可能になる記憶装置内蔵複合機を提供することを目的とする。
【課題を解決するための手段】
【００１０】
本発明に係る記憶装置内蔵複合機の１つは、箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿う姿勢で配備されている記憶装置内蔵複合機において、上記記憶装置を、その短辺が傾斜してその垂直高さ寸法が上記内部スペースの垂直幅寸法を越えない傾斜姿勢として、上記電気機器の背面に近付けて配備してあるというものである。
【００１１】
本発明に係る記憶装置内蔵複合機の他の１つは、箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿う姿勢で配備されている記憶装置内蔵複合機において、上記記憶装置を、その短辺が垂直になる起立姿勢として、上記電気機器の背面に近付けて配備してある、というものである。
【００１２】
上記した２種類の記憶装置内蔵型複合機のうち、前者では、筐体の内部での記憶装置の前後幅方向での水平長さがその記憶装置の短辺の長さ寸法よりも短くなり、しかも、その記憶装置が電気機器の背面に近付けて配備されているので、それに見合って筐体の奥行寸法を縮小することが可能になる。また、後者でも、筐体の内部での記憶装置の前後幅方向での水平長さがその記憶装置の厚さ寸法（記憶装置の短辺の長さ寸法よりも短い）に相当するようになり、しかも、その記憶装置が電気機器の背面に近付けて配備されているので、それに見合って筐体の奥行寸法を縮小することが可能になる。
【００１３】
本発明では、上記電気機器が、磁気テープ装置又は光ディスク装置であるという構成を採用することが可能である。また、上記電気機器が、上記筐体の左右幅方向に並べて配備された磁気テープ装置と光ディスク装置との組合せでなるという構成を採用することも可能である。これらによれば、磁気テープ装置と光ディスク装置との一方又は両方と記憶装置との一体性が保たれる。
【００１４】
本発明では、上記記憶装置が、上記光ディスク装置の背部に配備されていることが望ましい。これによれば、図３を参照して説明した設置パターンが損なわれない。また、本発明では、上記記憶装置がハードディスクドライブユニットであるという構成を採用することが可能である。
【００１５】
本発明に係る記憶装置内蔵型複合機は、次の構成を採用することによっていっそう具体化される。すなわち、箱形筐体に、電気機器と共にその電気機器の背部に間隔を隔てて配備された記憶装置が内蔵され、その記憶装置は、平面視形状が長辺と短辺とを有する略矩形に形成されていて、その長辺が上記筐体の左右幅方向に沿いかつ短辺が上記筐体の前後幅方向に沿う水平な設置姿勢で配備されている記憶装置内蔵複合機において、上記電気機器が、上記筐体の左右幅方向に並べて配備された磁気テープ装置と、上記記憶装置が背部に間隔を隔てて配備された光ディスク装置との組合せでなり、ハードディスクドライブユニットでなる上記記憶装置の設置姿勢を、その短辺が傾斜してその垂直高さ寸法が上記内部スペースの垂直幅寸法を越えない傾斜姿勢に変更して、上記光ディスク装置の背面に近付けて配備してある、という構成を採用することによっていっそう具体化される。
【発明の効果】
【００１６】
以上のように、本発明によれば、図３又は図４に示した設置パターン、具体的には電子機器の背部に間隔を隔てて記憶装置を配備するという基本的な設置パターンを損なうことなく、筐体の奥行寸法をさらに短くすることが可能になるので、図３又は図４のものに比べてさらなる筐体のコンパクト化が図られ、そのことが、梱包費用や搬送費用を削減することに役立つようになるという効果が奏される。
【発明を実施するための最良の形態】
【００１７】
図１は本発明の実施形態に係る記憶装置内蔵複合機の電気機器１と記憶装置５の筐体１００内での設置パターンを平面図で示した説明図、図２は他の実施形態に係る同設置パターンを平面図で示した説明図である。
【００１８】
これらの各実施形態では、電気機器１及び記憶装置５についての設置パターンとして図３に示した基本的な設置パターンが採用されている。すなわち、図３に具体的に示されているように、電子機器１は、筐体１００の左右幅方向Ｗに並べて配備された磁気テープ装置１１と光ディスク装置１５との組合せでなり、記憶装置５には、たとえば平面視略矩形の偏平な３．５インチハードディスクドライブユニットが相当していて、その記憶装置５が光ディスク装置１５の背部で筐体１００に固着された取付け板１６に取り付けられて、その長辺５１が筐体１００の左右幅方向Ｗに平行に沿う姿勢で配備されている（図３参照）と共に、その記憶装置５と電子機器１である光ディスク装置５との相互間には必要な間隔Ｓが隔てられている。
【００１９】
そして、筐体１００は、既述したように、リアパネルとボトムケースとトップケースとを合わせて形成された筐体本体１１０の前端にフロントパネル１２０を取り付けることによって横長の偏平箱形に形成されていて、そのフロントパネル１２０には、磁気テープ装置１１、光ディスク装置１５、記憶装置５などを制御するための操作ボタン（不図示）が装備されていると共に、磁気テープ装置１１に対して着脱される磁気テープカセットの出入口と、光ディスク装置１５に出退可能に組み付けられているディスクトレイ（不図示）の出入口とが具備されている。したがって、図１及び図２に示したいずれの実施形態の記憶装置内蔵複合機においても、筐体１００の横幅寸法と高さ寸法とが可及的短くなっていて、磁気テープ装置１１や光ディスク装置１５の操作性が高められ、しかも、組立ラインでのメイン基板２０１や電源基板２０２などの回路基板２００の組付け性なども良好に確保されている。
【００２０】
図１に示した実施形態では、記憶装置５の設置姿勢を、その短辺５２が前上がりに傾斜してその垂直高さ寸法Ｈ２が筐体１００の内部スペースの垂直幅寸法Ｈ１を越えない傾斜姿勢に定めて取付け板１６に取り付けてある。加えて、記憶装置５と光ディスク装置１５の背面との間隔Ｓを、両者が互いに電気的あるいは機械的に悪影響を及ばさない範囲でできるだけ狭くなるように定めることによって、その記憶装置５を光ディスク装置１５の背面に近付けて配備してある。そして、記憶装置１５の設置位置を上記のようにして前側にずらせたことに相応して、筐体１００の背板１１２を前側にずらせてその筐体１００の奥行寸法を短くしてある。図１には、図４に示した筐体１００の側面視輪郭線を仮想線で併せて示してあり、これから判るように、実施形態の記憶装置内蔵複合機の筐体１００の奥行寸法が、図４に示した筐体１００のそれよりも長さＬだけ短くなっている。
【００２１】
図１の実施形態において、記憶装置５２の傾斜角度は、その記憶装置５２の設置箇所での筐体１００の内部スペースの垂直高さ寸法Ｈ１との関係を勘案して適切に定めることが臨まれるけれども、場合によっては、その記憶装置５２の設置箇所の上側又は下側に他の部品が配備されることもあるので、そのような場合にはその部品との間に必要な間隔を確保することができる角度に定められる。なお、記憶装置５２の傾斜角度はたとえば４５度が適切である。また、記憶装置５２の傾斜方向は、図示のような前上がりに限定されるものではなく、たとえば前下りの傾斜姿勢を選択してもよい。
【００２２】
これに対し、図２に示した実施形態では、記憶装置５の設置姿勢をその短辺５２が垂直になる起立姿勢としてその記憶装置５を取付け板１６に取り付けてある。加えて、記憶装置５と光ディスク装置１５の背面との間隔Ｓを、両者が互いに電気的あるいは機械的に悪影響を及ばさない範囲でできるだけ狭くなるように定めることによって、その記憶装置５を光ディスク装置１５の背面に近付けて配備してある。そして、記憶装置１５の設置位置を上記のようにして前側にずらせたことに相応して、筐体１００の背板１１２を前側にずらせてその筐体１００の奥行寸法を短くしてある。この構成を採用すると、図１の場合よりも筐体１００の奥行寸法をさらに短くすることが可能である。
【００２３】
図１及び図２を参照して説明した各実施形態では、いずれも筐体１００の奥行寸法が図４を参照して説明したものよりも短くなっていて、そのコンパクト化が図られている。そのため、梱包費用や搬送費用が削減される。また、この実施形態では、記憶装置の設置姿勢を傾斜姿勢又は起立姿勢にすることによって筐体１００の奥行寸法を短くしたものであるので、組立ラインでの記憶装置５の組立性や記憶装置内蔵複合機の量産性が従来と同等に確保されるという利点や、ユーザにとってその設置スペースが狭くて済むという利点がある。
【図面の簡単な説明】
【００２４】
【図１】本発明の実施形態に係る記憶装置内蔵複合機の電気機器と記憶装置の筐体内での設置パターンを平面図で示した説明図である。
【図２】他の実施形態に係る同設置パターンを平面図で示した説明図である。
【図３】上記設置パターンの従来例を平面図で示した示した説明図である。
【図４】上記設置パターンを図３のＩＶ−ＩＶ線に沿う部分から見て断面図で示した説明図である。
【符号の説明】
【００２５】
１  電気機器
５  記憶装置
１１  磁気テープ装置
１５  光ディスク装置
５１  記憶装置の長辺
５２  記憶装置の短辺
１００  筐体
Ａ  記憶装置の短辺寸法
Ｄ  筐体の前後幅方向
Ｈ１  筐体の内部スペースの垂直幅寸法
Ｗ  筐体の左右幅方向
【図１】
2006351150.tif 000003
【図２】
2006351150.tif 000004
【図３】
2006351150.tif 000005
【図４】
2006351150.tif 000006